(57)【特許請求の範囲】
【請求項１】
被検眼の観察時に可視光線を発する観察可視光源と、被検眼の観察時に赤外光線を発する観察赤外光源と、被検眼の静止画像の撮影記録時に可視光線を発する撮影可視光源とを有する複数の光源からの光線を前記被検眼に対して照明する照明光学系と、
前記被検眼からの反射光を撮影光学系を介して受光して、前記被検眼の眼底画像を取得する撮像手段と、
前記複数の光源を選択的に切り替えて点灯させる光源制御手段と、
前記複数の光源各々に対応した画像パラメータのセットを用いて、前記撮像手段により取得された前記被検眼の眼底画像に対して画像処理を実施する画像生成手段と
を具備することを特徴とする眼底撮像装置。
【請求項２】
前記被検眼を観察及び撮影記録する際のモードを設定するモード設定手段
を更に具備し、
前記複数の光源各々に対応した画像パラメータのセットは、前記モード毎に設けられており、
前記画像生成手段は、
前記光源制御手段により点灯される光源と前記モード設定手段により設定されたモードとに応じた画像パラメータのセットを用いて画像処理を実施する
ことを特徴とする請求項１に記載の眼底撮像装置。
【請求項３】
前記被検眼を観察及び撮影記録する際のモードを設定するモード設定手段
を更に具備し、
前記観察可視光源と前記撮影可視光源とのそれぞれに対応する前記画像パラメータのセットは、前記モード毎に設けられており、前記観察赤外光源に対応する前記画像パラメータのセットは、前記モードに依らず共通の画像パラメータのセットが設けられており、
前記画像生成手段は、
前記観察可視光源又は前記撮影可視光源が点灯されている場合には、点灯されている光源と前記モードとに応じた画像パラメータのセットを用いて画像処理を実施し、前記観察可視光源が点灯されている場合には、当該観察可視光源に対応した画像パラメータのセットを用いて画像処理を実施する
ことを特徴とする請求項１または２に記載の眼底撮像装置。
【請求項４】
前記被検眼の眼底画像は、静止画像又は動画像のいずれかで撮影記録され、
前記光源制御手段は、
前記静止画像を撮影記録する場合には前記撮影可視光源を点灯させ、前記動画像を撮影記録する場合には前記観察可視光源を点灯させ、
前記画像生成手段は、
前記静止画像が撮影記録される場合には、前記撮影可視光源に対応する画像パラメータのセットを用いて画像処理を実施し、前記動画像が撮影記録される場合には、前記観察可視光源に対応した画像パラメータのセットを用いて画像処理を実施する
ことを特徴とする請求項１乃至３のいずれか１項に記載の眼底撮像装置。
【請求項５】
前記被検眼の眼底画像は、静止画像又は動画像のいずれかで撮影記録され、
前記光源制御手段は、
前記静止画像を撮影記録する場合には前記撮影可視光源を点灯させ、前記動画像を撮影記録する場合には前記観察可視光源を点灯させ、
前記観察可視光源に対応した画像パラメータのセットは、観察用と撮影記録用とがそれぞれ設けられており、
前記画像生成手段は、
観察時に前記観察可視光源が点灯されている場合には、前記観察可視光源に対応する観察用の画像パラメータのセットを用いて画像処理を実施し、撮影記録時に前記観察可視光源が点灯されて動画像が撮影記録される場合には、前記観察可視光源に対応する撮影記録用の画像パラメータのセットを用いて画像処理を実施する
ことを特徴とする請求項１乃至３のいずれか１項に記載の眼底撮像装置。
【請求項６】
前記画像生成手段により画像処理された前記眼底画像を表示する表示手段
を更に具備することを特徴とする請求項１乃至５のいずれか１項に記載の眼底撮像装置。
【請求項７】
被検眼の観察時に可視光線を発する観察可視光源と、被検眼の観察時に赤外光線を発する観察赤外光源と、被検眼の静止画像の撮影記録時に可視光線を発する撮影可視光源とを有する複数の光源からの光線を前記被検眼に対して照明する照明光学系と、前記被検眼からの反射光を撮影光学系を介して受光して、前記被検眼の眼底画像を取得する撮像手段とを具備する眼底撮像装置の処理方法であって、
光源制御手段が、前記複数の光源を選択的に切り替えて点灯させる工程と、
画像生成手段が、前記複数の光源各々に対応した画像パラメータのセットを用いて、前記撮像手段により取得された前記被検眼の眼底画像に対して画像処理を実施する工程と
を含むことを特徴とする処理方法。
【発明の詳細な説明】
【技術分野】
【０００１】
本発明は、眼底撮像装置及びその処理方法に関する。
【背景技術】
【０００２】
眼底の状態を撮影する眼底撮像装置（以下、眼底カメラと呼ぶ）が知られている。眼底カメラでは、撮像素子において、眼底画像をデジタル化し、モニタ又は外部記録装置において、当該デジタル化した画像を表示又は保存する。
【０００３】
眼底カメラの構造をシンプルにするため、一つの撮像素子を利用して動画像や静止画像を撮影する装置も知られている。このような眼底カメラでは、観察用の画像パラメータ（コントラスト、シャープネス、ＲＧＢゲイン等）と、撮影用の画像パラメータとを変更し、観察用の動画像と撮影用の静止画像との双方において最適な眼底像を撮影する技術が知られている（特許文献１）。
【先行技術文献】
【特許文献】
【０００４】
【特許文献１】特開平０６−１３３９３３号公報
【発明の概要】
【発明が解決しようとする課題】
【０００５】
近年、無散瞳撮影と散瞳撮影とが一つの装置で行える一体型の眼底カメラが普及している。この場合、散瞳観察時には光源として観察可視光源を使用し、無散瞳観察時には被検眼の縮瞳を避けるため、光源として観察赤外光源を使用する。また、撮影記録時には撮影可視光源を用いる。
【０００６】
そのため、従来のように、観察用及び撮影用の２種類の画像パラメータのみでは、散瞳観察像／無散瞳観察像／撮影静止画像において、最適な眼底画像を撮影することができない。すなわち、アライメントに適した観察画像や、診断価値の高い静止画像を得ることができなかった。
【０００７】
また、眼底カメラにおいては、病変や利用目的によって様々な撮影モードが選択されるため、照明光源及び撮影光源の波長特性の変更が必要となる。画像パラメータを１種類又は２種類に限定してしまうと、各撮影モードに適した眼底画像が得られない。
【０００８】
また更に、眼底カメラにおいては、眼底の動的な特性を診断するために、動画像の撮影が行なわれるが、この際、動画像に適した画像パラメータが設定されなければ、眼底の動的特性を適正に観察することができない。
【０００９】
そこで、本発明は、単体の撮像素子が設けられる構成において、複数の光源各々に対応した画像処理を実施して眼底像を生成するようにした技術を提供することを目的とする。
【課題を解決するための手段】
【００１０】
上記課題を解決するため、本発明の一態様による眼底撮像装置は、被検眼の観察時に可視光線を発する観察可視光源と、被検眼の観察時に赤外光線を発する観察赤外光源と、被検眼の静止画像の撮影記録時に可視光線を発する撮影可視光源とを有する複数の光源からの光線を前記被検眼に対して照明する照明光学系と、
前記被検眼からの反射光を撮影光学系を介して受光して、前記被検眼の眼底画像を取得する撮像手段と、
前記複数の光源を選択的に切り替えて点灯させる光源制御手段と、
前記複数の光源各々に対応した画像パラメータのセットを用いて、前記撮像手段により取得された前記被検眼の眼底画像に対して画像処理を実施する画像生成手段とを具備する。
【発明の効果】
【００１１】
本発明によれば、１つの撮像素子が設けられる構成において、複数の光源各々に対応した画像処理を実施して眼底像を生成する。これにより、１つの撮像素子を備えた構成においても、最適な眼底像が得られる。
【図面の簡単な説明】
【００１２】
【図１】本発明の一実施の形態に係わる眼底撮像装置（眼底カメラ４０）の構成の一例を示す図。
【図２】コントラスト調整の概要の一例を示す図。
【図３】図１に示す眼底カメラ４０の動作の流れの一例を示すフローチャート。
【図４】図１に示す眼底カメラ４０の動作の流れの一例を示すフローチャート。
【図５】実施形態２に係わる眼底カメラ４０の構成の一例を示す図。
【図６】実施形態２に係わる画像パラメータのセットの一例を示す図。
【発明を実施するための形態】
【００１３】
以下、本発明の一実施の形態について添付図面を参照して詳細に説明する。
【００１４】
（実施形態１）
図１は、本発明の一実施の形態に係わる眼底撮像装置（以下、眼底カメラと呼ぶ）の構成の一例を示す図である。
【００１５】
眼底カメラ４０は、例えば、眼科医院や健康診断等で用いられ、被検眼の眼底を観察又は撮影（撮影記録）する。眼底カメラ４０には、情報処理装置５０が接続される。情報処理装置５０は、眼底カメラ４０を使用する際にオペレータ（検者）が使用するコンピュータである。すなわち、眼底カメラ４０は、情報処理装置５０からの制御信号に応じて各種観察又は撮影動作を実施する。
【００１６】
ここで、眼底カメラ４０には、照明光学系２１、撮影光学系２２が設けられる。照明光学系２１には、その光源として、観察可視光源１、撮影可視光源２、観察赤外光源５が設けられる。観察可視光源１は、例えば、ハロゲンランプ等であり、可視定常光（可視光線）を発する。撮影可視光源２は、例えば、ストロボ等であり、撮影時（撮影記録時）に可視光線を発する。観察赤外光源５は、例えば、赤外光ＬＥＤ等であり、赤外光線を発する。
【００１７】
観察可視光源１及び観察赤外光源５は、アライメント調整時（動画像）に用いられる光源である。撮影可視光源２は、撮影記録時（静止画像）に用いられる光源である。すなわち、観察可視光源１は、可視光モード（散瞳モード）が設定されている際のアライメント調整時に使用され、観察赤外光源５は、赤外光モード（無散瞳モード）が設定されている際のアライメント調整時に使用される。また、撮影可視光源２は、静止画像の撮影記録時に使用される。
【００１８】
ここで、観察可視光源１及び撮影可視光源２から出射された光は、レンズ３を介してコールドミラー４に入射された後、リレーレンズ６及び７を介して穴あきミラー８に入射される。そして、穴あきミラー８で反射された光が、対物レンズ９を介して被検眼に向けて照射される。
【００１９】
ここで、コールドミラー４は、可視光を反射し、赤外光を透過させる特性を持つ。観察赤外光源５から出射された光は、コールドミラー４を透過し、リレーレンズ６及び７を介して穴あきミラー８に入射される。そして、穴あきミラー８で反射された光が、対物レンズ９を介して被検眼に向けて照射される。
【００２０】
穴あきミラー８は、その中央部に開口を有している。被検眼からの反射光は、この穴あきミラー８の開口を介して撮影光学系２２に入射される。撮影光学系２２に入射された光は、フォーカスレンズ１０及び撮影レンズ１１を介して撮像素子１２に入射する。
【００２１】
上述した構成により、光源１、２、５のいずれか一つから光が出射され、その光は、光路Ｌ１を通り、被検眼の眼底に入射する。また、被検眼からの反射光は、光路Ｌ２を通り、撮像素子１２に結像する。
【００２２】
また、眼底カメラ４０には、制御系の構成として、画像生成部２３と、パラメータ制御部２４と、パラメータ記憶部２５と、表示部２６と、通信部２７と、光源制御部２８と、撮影制御部２９とが設けられる。
【００２３】
光源制御部２８は、光源（観察可視光源１、観察赤外光源５、撮影可視光源２）を選択的に点灯させ、光源からの光線を被検眼に向けて照射させる。上述した通り、可視光モード時には、観察可視光源１又は撮影可視光源２からの照射を制御し、赤外光モード時には、観察赤外光源５又は撮影可視光源２からの照射を制御する。
【００２４】
パラメータ記憶部２５は、光源各々に対応した画像パラメータを格納する。より具体的には、観察可視光源使用時の画像パラメータのセットＰ１と、観察赤外光源使用時の画像パラメータのセットＰ２と、撮影可視光源使用時の画像パラメータのセットＰ３との３種類の画像パラメータセットを格納する。
【００２５】
パラメータ制御部２４は、パラメータ記憶部２５に格納された複数種類の画像パラメータセットの中からいずれかの画像パラメータセットを選択する。
【００２６】
画像生成部２３は、撮像素子１２に接続されており、撮像素子１２からの情報（被検眼の眼底像情報）に基づいて被検眼の画像（眼底画像）を生成する。このとき、画像生成部２３では、パラメータ制御部２４により選択された画像パラメータのセットを用いて現像する（画像を生成する）。
【００２７】
表示部２６は、画像生成部２３により生成された画像を表示する。表示部２６には、アライメント調整に際しては眼底像の動画像が表示され、撮影に際しては眼底像の静止画像が表示される。
【００２８】
通信部２７は、眼底カメラ４０と他の装置（情報処理装置５０）との間の通信を制御する通信インターフェースである。通信部２７では、例えば、情報処理装置５０から各種制御信号を受信したり、また、撮影された画像を情報処理装置５０に向けて送信したりする。
【００２９】
撮影制御部２９は、通信部２７を介して受信した情報処理装置５０からの制御信号（例えば、撮影指示、光源切替指示）に基づいて撮影を指示したり、また、光源の切り替えを指示したりする。なお、これら指示は、眼底カメラ４０に設けられた操作部からの操作に基づいて行なわれても良い。
【００３０】
ここで、パラメータ記憶部２５に格納される画像パラメータのセットについて説明する。
【００３１】
各画像パラメータのセットには、撮像素子１２により取得された眼底像に対して、コントラスト調整やシャープネス調整、色あい調整等を実施するためのパラメータ群が含まれる。
【００３２】
コントラスト調整とは、色の明暗の差異を変化させる処理である。より具体的には、図２に示すように、入力画素濃度値に対する出力濃度値の傾きを変化させる。例えば、観察可視光源１を用いて照明する可視光モード（散瞳モード）時には、線分Ｃ１に示すように、入力画素値をそのまま出力画素値として用いる。また、例えば、観察赤外光源５を用いて照明する赤外光モード（無散瞳モード）時には、線分Ｃ２に示すように、傾きを大きくし、入力画素値が大きい場合にはより大きい出力画素値とし、入力画素値が小さい場合にはより小さい画素値とする。これにより、コントラストが低い赤外光照明下の眼底像であっても、コントラストを上げることができるため、明暗の差が大きな画像が得られる。また、アライメントや合焦の精度を上げることもできる。
【００３３】
続いて、シャープネス調整とは、画像内の輪郭部分の空間周波数が高いことを利用して、その特定高周波成分をより高める処理である。より具体的には、ｓｏｂｅｌフィルタ等により画像内から高周波成分の多い輪郭部分を抽出し、これを入力画素値に足し合わせる。これにより、輪郭を強調したシャープネスな画像を得ることができる。
【００３４】
例えば、輪郭がぼやけてしまう赤外光照明下の眼底像に対してシャープネス調整を行なうことにより、眼底像中の血管の輪郭や乳頭部の輪郭等を強調させることができる。これにより、アライメント調整時に眼底像の視認性を向上させることができる。一方、静止画像撮影記録時には、血管の鮮鋭さも診断材料であることから、シャープネス調整を避けることで本来の眼底像が得られ、それを用いて診断がなされる。
【００３５】
続いて、色合い調整について説明する。撮像素子１２により取得された画像信号は、ＲＧＢに分解され、画像生成部２３に送られる。このとき、画像生成部２３においては、ＲＧＢの画像信号それぞれに対して、画像パラメータ内に保持されるゲイン値を掛け合わせる。これにより、被検眼の眼底像の色情報を調整する。例えば、観察可視光源１を用いて照明する可視光モード（散瞳モード）時には、緑（Ｇ）のゲインを高く設定する。この場合、網膜表面にある神経線維層が鮮明になり、網膜表面への合焦精度を高めることができる。なお、赤（Ｒ）のゲインを高くした場合、網膜深層の脈絡膜の観察が容易となる。
【００３６】
以上のように本実施形態においては、観察可視光源、観察赤外光源、撮影可視光源に応じた画像パラメータのセットを保持する。これにより、アライメントや合焦の調整がし易い眼底像の画像（観察動画像、診断価値の高い静止画像）をオペレータに提示できる。
【００３７】
次に、図３及び図４を用いて、図１に示す眼底カメラ４０の動作の流れの一例について説明する。ここでは、被検眼の眼底像を撮影する際の処理の流れについて説明する。
【００３８】
この処理が開始すると、眼底カメラ４０は、光源制御部２８において、光源モードを判定する。より具体的には、可視光モード、赤外光モードのいずれが設定されているのかを判定する。なお、光源モードは、情報処理装置５０からのオペレータの指示により設定される。
【００３９】
判定の結果、可視光モード（散瞳モード）が設定されていれば（Ｓ１０１で可視光モード）、眼底カメラ４０は、パラメータ制御部２４において、観察可視光源用の画像パラメータのセットＰ１を取得し、それを画像生成部２３に送信する（Ｓ１０２）。その後、眼底カメラ４０は、光源制御部２８において、観察可視光源１を点灯させる（Ｓ１０３）。
【００４０】
一方、Ｓ１０１の判定の結果、赤外光モードが設定されていれば（Ｓ１０１で赤外光モード）、眼底カメラ４０は、パラメータ制御部２４において、観察赤外光源用の画像パラメータのセットＰ２を取得し、それを画像生成部２３に送信する（Ｓ１０４）。その後、眼底カメラ４０は、光源制御部２８において、観察赤外光源５を点灯させる（Ｓ１０５）。
【００４１】
観察可視光源１又は観察赤外光源５が点灯された後、眼底カメラ４０は、撮像素子１２において、当該点灯に基づく反射光（被検眼の眼底像情報）を受光する。そして、画像生成部２３において、撮像素子１２から被検眼の画像情報を取得し（Ｓ１０６）、上記取得した画像パラメータのセットを用いて画像処理を実施する（Ｓ１０７）。これにより、被検眼の眼底像の画像が生成される。その後、眼底カメラ４０は、表示部２６において、当該生成した眼底像の画像（動画像）を表示する（Ｓ１０８）。
【００４２】
画像が表示されている間、眼底カメラ４０は、情報処理装置５０から撮影指示、光源切替指示、終了指示のいずれかが送られてくるまで待機する。これら指示は、通信部２７を介して受信する。なお、上述した通り、眼底カメラ４０に設けられた操作部からの操作に基づいてこれら指示が行なわれても良い。
【００４３】
ここで、終了指示を受信した場合（Ｓ１０９でＹＥＳ）、眼底カメラ４０は、この処理を終了する。また、光源切替指示を受信した場合（Ｓ１１０でＹＥＳ）、眼底カメラ４０は、光源（光源モード）を切り替えた後（Ｓ１１１）、再度、Ｓ１０１の処理に戻る。また、撮影指示を受信した場合（Ｓ１１２）、眼底カメラ４０は、撮影記録動作を開始する。具体的には、パラメータ制御部２４において、パラメータ記憶部２５から撮影用（撮影記録用）の画像パラメータのセットＰ３を取得し、それを画像生成部２３に送信する（Ｓ１１３）。
【００４４】
その後、眼底カメラ４０は、光源制御部２８において、撮影可視光源２をフラッシュ点灯させる（Ｓ１１４）。撮影可視光源２がフラッシュ点灯した際に、眼底カメラ４０は、撮像素子１２において、当該点灯に基づく反射光（被検眼の眼底像情報）を受光する。なお、撮影可視光源２の点灯前に、点灯中である光源（観察可視光源１又は観察赤外光源５）は消灯される。
【００４５】
そして、眼底カメラ４０は、画像生成部２３において、撮像素子１２から被検眼の画像情報を取得し（Ｓ１１５）、上記取得した画像パラメータのセットを用いて画像処理を実施する（Ｓ１１６）。これにより、被検眼の眼底像の画像を生成する。その後、眼底カメラ４０は、表示部２６において、当該生成した眼底像の画像を表示する（Ｓ１１７）。
【００４６】
ここで、オペレータは、情報処理装置５０から当該画像を保存するか否かの指示を行なう。その結果、画像の保存が指示されなかった場合には（Ｓ１１８でＮＯ）、終了指示を受信したか否かの判定に進む。
【００４７】
一方、画像の保存が指示された場合には（Ｓ１１８でＹＥＳ）、眼底カメラ４０は、通信部２７を介して当該画像を情報処理装置５０に向けて送信する（Ｓ１１９）。これにより、情報処理装置５０内に当該撮影された画像が保存される。その後、眼底カメラ４０は、情報処理装置５０から終了指示を受信した場合には（Ｓ１２０でＹＥＳ）、この処理を終了するが、そうでなければ（Ｓ１２０でＮＯ）、再度、Ｓ１０１の処理に戻る。
【００４８】
以上説明したように実施形態１によれば、複数の光源（観察用の可視光源及び赤外光源、撮影用の可視光源）各々に対応した画像パラメータのセットを保持し、点灯される光源に応じていずれかの画像パラメータのセットを取得する。そして、当該取得した画像パラメータのセット用いて画像処理を実施し、眼底像の画像を生成する。
【００４９】
これにより、単体（１つ）の撮像素子が設けられる構成の眼底カメラにおいても、その時々に応じた最適な眼底像を生成できる。そのため、アライメント及び合焦の調整時の操作性を向上させられるとともに、その精度の向上も図れる。また、診断価値の高い眼底の静止画像が得られる。
【００５０】
（実施形態２）
次に、実施形態２について説明する。図５は、実施形態２に係わる眼底カメラ４０の構成の一例を示す図である。
【００５１】
照明光学系２１には、リレーレンズ６及び７の間に照明フィルタ３０が新たに配置される。撮影光学系２２には、穴あきミラー８及びフォーカスレンズ１０の間に撮影フィルタ３１が新たに配置される。照明フィルタ３０及び撮影フィルタ３１は、特定の波長のみを透過する特性を持つ。
【００５２】
照明フィルタ３０及び撮影フィルタ３１は、波長特性の異なる複数のフィルタにより構成される。フィルタ切替部３２は、照明フィルタ３０におけるフィルタを切り替え、フィルタ切替部３３は、撮影フィルタ３１におけるフィルタを切り替える。フィルタ切替部３２及び３３は、例えば、モータ等で実現される。フィルタ切替部３２及び３３の動作は、フィルタ制御部３４により制御される。
【００５３】
撮影モード設定部３５は、撮影制御部２９を介して通信部２７に接続されており、情報処理装置５０からのオペレータの指示に基づいて、被検眼を観察又は撮影する際の撮影モードを設定する。フィルタ制御部３４では、この撮影モードに応じて照明フィルタ３０及び撮影フィルタ３１におけるフィルタの切り替えを行なう。より具体的には、フィルタ制御部３４は、光束中に照明フィルタ３０及び撮影フィルタ３１を配置させるための制御信号をフィルタ切替部３２及び３３に向けて送信する。なお、撮影モードとしては、例えば、被検眼の眼底像をカラーで観察及び撮影するカラー撮影モード、蛍光材が投与された被検者の被検眼の眼底像を観察及び撮影する蛍光撮影モード等がある。この他、被検眼の眼底像を単色で観察及び撮影する単色モード等も挙げられる。勿論、これ以外の撮影モードが設けられても構わない。例えば、蛍光撮影モード時には、照明フィルタ３０の波長特性を蛍光剤の励起波長域が透過するようにし、また、撮影フィルタ３１の波長特性を蛍光剤の蛍光波長が透過するようにする。これにより、被検眼の眼底の血流診断に有効な蛍光画像が得られる。
【００５４】
図６（ａ）は、実施形態２に係わるパラメータ記憶部２５に格納される画像パラメータのセットについて説明する。
【００５５】
実施形態２においては、光源各々に対応した画像パラメータのセットが撮影モード毎に格納される。例えば、撮影モード１の場合には、当該撮影モードに対応して、観察可視光源使用時の画像パラメータセットＰ１１と、観察赤外光源使用時の画像パラメータのセットＰ１２と、撮影可視光源使用時の画像パラメータのセットＰ１３とが保持される。また、例えば、撮影モード２においても、撮影モード１と同様に、画像パラメータのセットＰ２１、Ｐ２２、Ｐ２３が格納されている。
【００５６】
なお、図６（ａ）に示す画像パラメータのセットは、あくまで一例であり、適宜変更できる。例えば、図６（ｂ）に示すように、観察赤外光源５に対応した画像パラメータは、撮影モードに依らず共通であってもよい。これは、赤外光の照明時には、撮像素子１２により取得される被検眼の眼底像が撮影モードに依らずほぼ同等であるためである。この場合、よりシンプルな構成を用いて、オペレータに視認性の良い赤外光照明下の観察動画像を提示できる。
【００５７】
ここで、実施形態２に係わる眼底カメラ４０の動作の流れは、基本的には、実施形態１を説明した図３及び図４と同様であるため、ここでは図を用いた説明については省略する。相違点としては、図３のＳ１０３及びＳ１０４、図４のＳ１１３における画像パラメータのセットの取得時に撮影モードを考慮して画像パラメータのセットを選択する点にある。
【００５８】
以上説明したように実施形態２によれば、複数の光源（観察用の可視光源及び赤外光源、撮影用の可視光源）各々に対応した画像パラメータのセットを撮影モード毎に保持する。これにより、単体（１つ）の撮像素子で得られた被検眼の眼底像に対しても、各光源に応じた画像処理を行なえる。
【００５９】
そのため、視認性の高い観察動画像をオペレータに提示できるので、アライメント及び合焦の調整時の操作性を向上させられる。また、各撮影モードに適した撮影静止画像が得られるため、各病変を抽出し易い眼底像をオペレータに提示できるので、診断価値を高めることができる。
【００６０】
以上が本発明の代表的な実施形態の例であるが、本発明は、上記及び図面に示す実施形態に限定することなく、その要旨を変更しない範囲内で適宜変形して実施できるものである。
【００６１】
例えば、上述した実施形態１及び２においては、撮影画像が静止画像である場合を例に挙げて説明したが、これに限られず、動画像を撮影するようにしても良い。動画像を撮影する際には、観察可視光源１を点灯させ、その画像処理においては、観察可視光源用の画像パラメータのセットを用いれば良い。
【００６２】
勿論、動画像を記録する際の画像パラメータのセットを別途設けてもよい。ここで、撮影記録時に動画像を記録する際の画像パラメータのセットの特徴について、観察時に動画像を取得する際の画像パラメータのセットと比較して説明する。
【００６３】
観察時に動画像を取得する際の画像パラメータは、例えば、フレームレートとＩＳＯ感度とを高く設定する。これにより、アライメント調整時の被検眼の眼底像の視認性を上げ、アライメント調整時の操作性を向上させる。但し、このような特徴を持たせた場合には、ノイズが増えてしまうため、診断には不向きである可能性がある。
【００６４】
一方、撮影記録時に動画像を記録する際の画像パラメータは、観察時に動画像を取得する際の画像パラメータに比べて、フレームレートとＩＳＯ感度とを低く設定する。これにより、ノイズの少ない動画像が得られることにより、眼底像の動特性を詳細にオペレータに提示できる。
【図１】
0005508140.tif 000002
【図２】
0005508140.tif 000003
【図３】
0005508140.tif 000004
【図４】
0005508140.tif 000005
【図５】
0005508140.tif 000006
【図６】
0005508140.tif 000007